(57)【特許請求の範囲】
【請求項１】
リード線が挿入される孔を有する前面板と該前面板と対向された後面板と該後面板の中段部から外方に突出された端子固定部と該端子固定部の下方向に形成された空間部とを有する絶縁ケースと、該絶縁ケースの前記端子固定部に固定された棒状部を有し、前記孔に挿通された前記リード線と電気的な導通がされる端子と、前記絶縁ケースに軸支された基部と該基部の一端に形成され前記前面板より外方に突出し前記軸支を支点として回動する操作部と前記基部の他端に形成され前記操作部の回動によって前記孔を開閉すると共に前記リード線を前記端子に押圧する押え部を有したレバーと、前記絶縁ケースと前記レバーとの間に介在され前記リード線を前記押え部によって押圧するようにしたバネとを備え、前記端子の前記棒状部が前記絶縁ケースの前記空間部に配置されていることを特徴とするリード線接続コネクタ。
【請求項２】
前記端子の前記棒状部には、折曲部が設けられていることを特徴とする請求項１記載のリード線接続コネクタ。
【請求項３】
請求項１，又は２記載のリード線接続コネクタと、側壁と該側壁に設けられた開口部とを有する第１の枠体と、該第１の枠体内に配設された側壁を有する第２の枠体と、該第２の枠体に配設されたプリント基板とを備え、前記リード線接続コネクタの前記端子の前記棒状部を前記プリント基板に半田付けして取り付け、前記リード線接続コネクタの前記前面板が、前記第２の枠体の前記開口部に挿通されて外方に突出し、前記後面板が、前記側壁と対向して配置され、前記第１の枠体の前記側壁と前記第２の枠体の前記側壁によって前記リード線接続コネクタを挟持したことを特徴とする電子機器。
【発明の詳細な説明】
【０００１】
【発明の属する技術分野】
本発明は、リード線接続コネクタ及びそれを備えた電子機器に係わり、特に、リード線接続コネクタを電子機器に配設する際に与えられる端子へのストレスが少ないリード線接続コネクタ及びそれを備えた電子機器に関する。
【０００２】
【従来の技術】
従来のリード線接続コネクタ及びそれを備えた電子機器について図面を用いて説明する。
図８は、従来のリード線接続コネクタを示す部分断面図、図９は、従来のリード線接続コネクタを示す正面図、図１０は、従来のリード線接続コネクタを備えた電子機器を説明するための要部断面図、図１１は、従来のリード線接続コネクタを備えた電子機器を説明するための平面図、図１２は、従来のリード線接続コネクタを備えた電子機器をオーディオ機器に取り付ける状態を説明するための要部断面図である。
【０００３】
まず、従来のリード線接続コネクタＤについて説明する。
合成樹脂成型品から成る略箱形の絶縁ケース１は、前面板１ａと、前面板１ａの両側部に対向配置された２つの側面板１ｃと、前面板１ａ及び２つの側面板１ｃを繋ぐ上面板１ｆ及び下面板１ｇと、２つの側面板１ｃ及び上面板１ｆ、下面板１ｇを繋ぎ、前面板１ａと対向する後面板１ｈとを有する。この後面板１ｈは、側面板１ｃと上面板１ｆとの略中間部分を繋いでいる。
【０００４】
また、前面板１ａには、貫通された２つの矩形の孔１ｂと、この孔１ｂの間を仕切るように設けられた内壁１ｊとが形成され、側面板１ｃには、矩形の係止段部１ｄが外方に突出して形成され、係止段部１ｄから下方へそれぞれ延出された２つの取付脚１ｅが形成されている。また、後面板１ｈの下端には、後面板１ｈと直交し、外方に突設された端子固定部１ｍが形成され、該端子固定部１ｍには、図８において上下方向に貫通された孔１ｎが形成されている。また、このとき、前記端子固定部１ｍの下側の面と前記下面板１ｇの下側の面とは、同一平面上に形成されている。
【０００５】
また、端子２は、導電性部材から成り、平板部２ａと、棒状部２ｂとを有し、折り曲げられて断面Ｌ字状に形成されている。また、平板部２ａが絶縁ケース１の上面板１ｆの内側に接した状態で固定されるとともに、棒状部２ｂが、端子固定部１ｍの孔１ｎを挿通し、後面板１ｈに平行となる状態に取り付けられている。また、棒状部２ｂの一端部（先端部）には、絶縁ケース１の外部に突出している突出部２ｃが形成されている。
【０００６】
また、合成樹脂成型品から成るレバー３は、基部３ａと、基部３ａの一端部に設けられた操作部３ｂと、操作部３ｂの他端部の両側に対向して設けられた２つの支点軸（図示せず）と、基部３ａの上部に突出された押え部３ｃ（図９参照）とからなる。このレバー３は、操作部３ｂが絶縁ケース１の前面板１ａから外方に突出すると共に、２つの支点軸（図示せず）が絶縁ケース１の側面板１ｃ及び内壁１ｊの後面板１ｈ寄りに設けられた軸受け（図示せず）に保持される。そして、コイル状のバネ４は、基部３ａの操作部３ｂと対向する側と後面板１ｈとの間に介在されてなる。この時、操作部３ｂが、バネ４の弾性により付勢されることにより、押え部３ｃが上面板１ｆの内側に配設された端子２の平板部２ａと当接する。また、この状態のとき、押え部３ｃは、前面板１ａの孔１ｂを塞いだ状態となる。
【０００７】
バネ４の弾性に反して、操作部３ｂを押し下げる（矢印Ｇ方向）と、押え部３ｃが端子２の平板部２ａから離れ、押え部３ｃにより塞がれていた孔１ｂが開かれる。このように開かれた孔１ｂより、例えば、アンテナ線やスピーカ線などのリード線（図示せず）を絶縁ケース１内へ挿通し、操作部３ｂの押し下げを解除することで、バネ４の弾性によりリード線（図示せず）が押え部３ｃにより平板部２ａへ圧接され、端子２との電気的導通がなされる。以上のようにしてリード線接続コネクタＤが構成されている。
【０００８】
次に、電子機器Ｅについて説明する。
図１０、図１１に示すように、例えば、エフエム（ＦＭ）ラジオチューナなどの電子機器Ｅを構成する枠体５は、金属板から成り、切断・折り曲げ加工され、複数個（例えば、４個）の側壁５ａと、側壁５ａの上下方向にそれぞれ設けられた開口５ｃとを有している。また、１つの側壁５ａには、切り欠き加工によって設けられた略矩形の開口部５ｂが形成され、開口部５ｂの近傍には複数個（例えば、２個）のネジ孔５ｅが形成されている。
また、プリント配線基板６は、電解コンデンサやコイルやチップ部品などの電子部品（図示せず）等が搭載されて成り、枠体５の下面の開口５ｃ側に適宜手段にて取り付けられて枠体５と一体化されている。また、プリント配線基板６には、複数個（例えば、２個）の矩形の孔（図示せず）が設けられている。
【０００９】
また、図示していないがカバーは、金属平板を切断・折り曲げして形成され、枠体５の側壁５ａの上下にそれぞれ取り付けられている。この状態では、１つの側壁５ａの開口部５ｂを除き、電子機器Ｅは、枠体５とカバー（図示せず）とによって、シールドされている。
【００１０】
このようにして形成された電子機器Ｅには、プリント配線基板６にリード線接続コネクタＤが取り付けられる。このとき、リード線接続コネクタＤの絶縁ケース１の取付脚１ｅは、プリント配線基板６の孔（図示せず）に、例えば、スナップイン係合など適宜手段によって、取り付けられ、また、端子２の棒状部２ｂの突出部２ｃは、プリント配線基板６に挿通された状態で半田付けされている。この状態のとき、プリント配線基板６の孔は、取付脚１ｅの大きさに対して、大きめに形成されており、取付脚１ｅが孔に緩い状態で係合され、プリント配線基板６へのリード線接続コネクタＤの固定は、端子２の突出部２ｃがプリント配線基板６に半田付けされていることで成る。このように、リード線接続コネクタＡをプリント配線基板６に配置するに際しては、大きめの前記孔によって、余裕をもって容易に、組み込むことが出来る。
【００１１】
また、この状態のとき、絶縁ケース１の端子固定部１ｍの下側の面は、プリント配線基板６に当接され、また、絶縁ケース１は、枠体５の側壁５ａの開口部５ｂに挿通した状態で配置されている。即ち、リード線接続コネクタＤの絶縁ケース１は、前面板１ａを含む前側の略半分が側壁５ａから外方に突出し、後面板１ｈ側の後の略半分が側壁５ａから内方に突出した状態でプリント配線基板６に配置されている。
【００１２】
次に、前記電子機器Ｅが、例えば、ラジオ受信機やオーディオステレオアンプなどのオーディオ機器に取り付けられたときの構成について説明する。
図１２は、従来のリード線接続コネクタを備えた電子機器をオーディオ機器に取り付ける状態を説明するための分解要部断面図である。
【００１３】
図１２に示すようにオーディオ機器Ｆの外装を構成する枠体２０は、金属平板を切断・折り曲げ加工し、複数個（例えば、４個）の側壁２０ａと、１つの側壁２０ａに打ち抜き加工によって設けられた略矩形の開口部２０ｂとを有している。また、開口部２０ｂの近傍で開口部２０ｂの両側には、複数個（例えば、２個）の円形状の孔２０ｃが設けられている。
リード線接続コネクタＤを備えた電子機器Ｅについては、前述してあるので、ここでの説明は、省略する。
【００１４】
次に、オーディオ機器Ｆの前記枠体２０へのリード線接続コネクタＤを備えた電子機器Ｅの組み込みについて説明する。
先ず、枠体２０の側壁２０ａの開口部２０ｂに、リード線接続コネクタＤを備えた電子機器Ｅのリード線接続コネクタＤを挿通させる。この状態のとき、枠体２０の孔２０ｃと電子機器Ｅのネジ孔５ｅ（図１１参照）とは、対向する位置に配置される。
【００１５】
次に、枠体２０の孔２０ｃにネジ（図示せず）を挿通し、更に、このネジを電子機器Ｅの枠体５のネジ孔５ｅ（図１１参照）に螺合させ、枠体２０に電子機器Ｅをネジによって取り付ける。このとき、側壁２０ａの開口部２０ｂの縁部に絶縁ケース１の係止段部１ｄの一方の側端が当接し、ネジを螺合によって締め付けることで、絶縁ケース１の係止段部１ｄを後方向（電子機器Ｅの内方向）に押し付ける（移動する）。この絶縁ケース１の係止段部１ｄが後方に押し付けられることによって、端子固定部１ｍも後方向に移動され、この端子固定部１ｍの移動で、プリント配線基板６に半田付けされている端子２の棒状部２ｂの突出部２ｃに直接ストレス（外力）が加えられる。また、絶縁ケース１が枠体２０に当接した状態で後方に押し付けられることによって、絶縁ケース１がガタ付きなく枠体２０に配置される。
【００１６】
【発明が解決しようとする課題】
このように、従来のリード線接続コネクタＤは、絶縁ケース１の端子固定部１ｍの下側の面と下面板１ｇの下側の面とが、同一平面上に形成されているので、端子固定部１ｍがプリント配線基板６上に直接載置された状態で、端子固定部１ｍに固定された端子２の突出部２ｃが、直接プリント配線基板６に固着されて、電子機器Ｅが構成されている。
そして、この電子機器Ｅのリード線接続コネクタＤをオーディオ機器Ｆの側壁２０ａの開口部２０ｂに取り付ける際には、リード線接続コネクタＤが側壁２０ａとの間でガタ付くことのないように絶縁ケース１が、開口部２０ｂの縁部に当接して、リード線接続コネクタＤを後方向（図１２における右方向）に押すように配置される。
【００１７】
このことから、リード線接続コネクタＤを後方向に押すストレス（外力）が端子固定部１ｍを介して端子２の棒状部２ｂの突出部２ｃに直接加えられる。この突出部２ｃへのストレス（押圧力）によって、ときとして突出部２ｃのプリント配線基板６への半田付けが破損して、半田付け不良となるという問題がある。
【００１８】
また、従来のリード線接続コネクタＤを備えた電子機器は、リード線接続コネクタＤに、例えば、リード線を着脱する際に、外力（ストレス）が加えられると、外力は、リード線接続コネクタＤに全て加えられ、この外力によって、リード線接続コネクタが、更に後方に押し付けられ、ガタツクことになり、且つ、ときとして突出部２ｃのプリント配線基板６への半田付けが破損して、半田付け不良となるという問題がある。
【００１９】
本発明は、以上の問題を解決するためのもので、その目的は、プリント配線基板に取付られたリード線接続コネクタに外力によるストレスが加えられた際に、このストレスに対して、ストレス耐性を有したリード線接続コネクタ及びそれを備えた電子機器を提供することである。
【００２０】
【課題を解決するための手段】
本発明のリード線接続コネクタは、リード線が挿入される孔を有する前面板と該前面板と対向された後面板と該後面板の中段部から外方に突出された端子固定部と該端子固定部の下方向に形成された空間部とを有する絶縁ケースと、該絶縁ケースの前記端子固定部に固定された棒状部を有し、前記孔に挿通された前記リード線と電気的な導通がされる端子と、前記絶縁ケースに軸支された基部と該基部の一端に形成され前記前面板より外方に突出し前記軸支を支点として回動する操作部と前記基部の他端に形成され前記操作部の回動によって前記孔を開閉すると共に前記リード線を前記端子に押圧する押え部を有したレバーと、前記絶縁ケースと前記レバーとの間に介在され前記リード線を前記押え部によって押圧するようにしたバネとを備え、前記端子の前記棒状部が前記絶縁ケースの前記空間部に配置されていることである。
【００２１】
また、本発明のリード線接続コネクタは、端子の棒状部には、折曲部が設けられていることである。
【００２２】
また、本発明のリード線接続コネクタを備えた電子機器は、請求項１，又は２記載のリード線接続コネクタと、側壁と側壁に設けられた開口部とを有する第１の枠体と、該第１の枠体内に配設された側壁を有する第２の枠体と、第２の枠体に配設されたプリント基板とを備え、リード線接続コネクタの端子の棒状部をプリント基板に半田付けして取り付け、リード線接続コネクタの前面板が、第２の枠体の前記開口部に挿通されて外方に突出し、後面板が、側壁と対向して配置され、第１の枠体の側壁と第２の枠体の側壁によってリード線接続コネクタを挟持したことである。
【００２３】
【発明の実施の形態】
以下、本発明の実施の形態について、図面を用いて説明する。
図１は、本発明の実施の形態のリード線接続コネクタを示す部分断面図、図２は、本発明の実施の形態のリード線接続コネクタを示す正面図、図３は、本発明の実施の形態のリード線接続コネクタを備えた電子機器を示す要部断面図、図４は、本発明の実施の形態のリード線接続コネクタを備えた電子機器を示す要部平面図、図５は、本発明の実施の形態のリード線接続コネクタを備えた電子機器を示す要部断面図である。
なお、従来の構成と同一構成については、同一符号を付与してある。
【００２４】
まず、リード線接続コネクタＡについて説明する。
合成樹脂成型品から成る略箱形の絶縁ケース１は、前面板１ａと、前面板１ａの両側部に対向配置された２つの側面板１ｃと、前面板１ａ及び２つの側面板１ｃを繋ぐ上面板１ｆ及び下面板１ｇと、２つの側面板１ｃ及び上面板１ｆ、下面板１ｇを繋ぎ、且つ、前面板１ａと対向する後面板１ｈとを有する。この後面板１ｈは、側面板１ｃと上面板１ｆとの略中間部分を繋いでいる。
【００２５】
また、前面板１ａには、貫通された２つの矩形の孔１ｂと、この孔１ｂの間を仕切るように設けられた内壁１ｊとが形成され、側面板１ｃには、矩形の係止段部１ｄが外方に突出して形成され、この係止段部１ｄから下方へそれぞれ延出された２つの取付脚１ｅが形成されている。また、後面板１ｈの中段部には、後面板１ｈと直交する外方に突設された端子固定部１ｉが形成され、該端子固定部１ｉには、図１において上下方向に貫通された孔１ｐが形成されている。また、このとき、前記端子固定部１ｉの下方向には、空間部１ｋが形成されている。
【００２６】
また、端子２は、導電性部材から成り、平板部２ａと、棒状部２ｂとを有し、折り曲げられて断面Ｌ字状に形成されている。また、平板部２ａが絶縁ケース１の上面板１ｆの内側に接した状態で固定されるとともに、棒状部２ｂが端子固定部１ｉの孔１ｐを挿通し、後面板１ｈに平行に対向する状態で、空間部１ｋ内に配置されている。また、平板部２ａの先端部は、前面板１ａの孔１ｂと対向するように配置されている。また、この端子固定部１ｉの孔１ｐにて棒状部２ｂが係止され、端子２の固定部２ｄが形成される。また、棒状部２ｂの一端部（先端部）には、絶縁ケース１の外部に突出している突出部２ｃが形成され、この棒状部２ｂは、比較的容易に変形（例えば、撓むような変形）することが出来るように形成されている。
【００２７】
また、合成樹脂成型品から成るレバー３は、基部３ａと、基部３ａの一端部に設けられた操作部３ｂと、操作部３ｂの他端部の両側に対向して設けられた２つの支点軸（図示せず）と、基部３ａの上部に突出された押え部３ｃとを有する。このレバー３は、操作部３ｂが絶縁ケース１の前面板１ａから外方に突出すると共に、２つの支点軸（図示せず）が絶縁ケース１の側面板１ｃ及び内壁１ｊの後面板１ｈ寄りに設けられた軸受け（図示せず）に保持される。そして、コイル状のバネ４は、基部３ａの操作部３ｂと対向する側と後面板１ｈとの間に介在されて成る。この時、操作部３ｂが、バネ４の弾性により付勢されることにより、押え部３ｃが上面板１ｆの内側に配設された端子２の平板部２ａと接触する。また、押え部３ｃは、前面板１ａの孔１ｂを塞いだ状態となる。
【００２８】
バネ４の弾性に反して、操作部３ｂを押し下げる（矢印Ｇ方向）と、押え部３ｃが端子２の平板部２ａから離れ、支点軸（図示せず）を支点として絶縁ケース１の前面板１ａ側が開放される。従って、押え部３ｃにより塞がれていた孔１ｂが開かれる。このように開かれた孔１ｂより、例えば、アンテナ線やスピーカ線などのリード線（図示せず）を絶縁ケース１内へ挿通し、操作部３ｂの押し下げを解除することで、バネ４の弾性によりリード線（図示せず）が押え部３ｃにより平板部２ａへ圧接され、端子２との電気的導通がなされる。以上のようにしてリード線接続コネクタＡが構成される。
【００２９】
次に、電子機器Ｂについて説明する。
図３〜図５に示すように、例えば、エフエム（ＦＭ）ラジオチューナなどの電子機器Ｂを構成する第２の枠体である枠体５は、金属平板から成り、切断・折り曲げ加工され、複数個（例えば、４個）の側壁５ａと、側壁５ａの上下方向にそれぞれ設けられた開口５ｃとを有している。また、１つの側壁５ａには、切り欠き加工によって設けられた略矩形の開口部５ｂが形成され、開口部５ｂの近傍には複数個（例えば、２個）のネジ孔５ｅが形成されている。また、開口部５ｂと対向する位置で、側壁５ａの内側には、側内壁５ｄがＬ字状に形成されている。
【００３０】
また、プリント配線基板６は、電解コンデンサやコイルやチップ部品などの電子部品（図示せず）等が搭載されてなり、枠体５の下面の開口５ｃ側に適宜手段にて取り付けられて枠体５と一体化されている。また、プリント配線基板６には、複数個（例えば、２個）の矩形の孔（図示せず）が設けられている。
【００３１】
また、カバー７（図５参照）は、金属平板を切断・折り曲げ加工にて形成され、四方の端部には、下方、又は上方に折り曲げられた複数個の爪部７ａを有し、枠体５の側壁５ａの上下にそれぞれ爪部７ａを係止して、取り付けられている。そして、枠体５に一対のカバー７が取り付けられることで、枠体５の内部は、シールドされる。このようにして形成された電子機器Ｂのプリント配線基板６には、リード線接続コネクタＡが取り付けられる。
【００３２】
このとき、リード線接続コネクタＡの絶縁ケース１の取付脚１ｅは、プリント配線基板６の孔（図示せず）に、例えばスナップイン係合など適宜手段によって、取り付けられ、また、端子２の棒状部２ｂの突出部２ｃは、プリント配線基板６に半田付けされている。この状態のとき、プリント配線基板６の孔は、取付脚１ｅの大きさに対して、大きめに形成されており、取付脚１ｅが孔に緩い状態で係合されている。
【００３３】
また、この状態のとき、リード線接続コネクタＡの絶縁ケース１の側面板１ｃの後面板１ｈ側の端部と枠体５の側内壁５ｄとの間に所定の寸法ｌ１の隙間が設けられている。この隙間は、リード線接続コネクタＡをプリント配線基板６に取り付ける際の余裕寸法として設けられている。このように、リード線接続コネクタＡをプリント配線基板６に配置するに際して、大きめの前記孔と前記隙間（所定の寸法ｌ１）とによって、余裕をもって容易に、組み込むことが出来る。
【００３４】
次に、前記電子機器Ｂが、例えば、ラジオ受信機やオーディオステレオアンプなどのオーディオ機器（電子機器）に取り付けられたときの構成について説明する。
図６は、本発明の実施の形態のリード線接続コネクタを備えた電子機器をオーディオ機器に取り付ける状態を説明するための分解要部断面図、図７は、本発明の実施の形態のリード線接続コネクタを備えた電子機器をオーディオ機器に取り付けた状態を説明するための要部断面図である。
【００３５】
図６、図７に示すようにオーディオ機器Ｃを構成する第１の枠体である枠体２０は、金属平板を切断・折り曲げ加工し、複数個（例えば、４個）の側壁２０ａと、１つの側壁２０ａに打ち抜き加工によって設けられた略矩形の開口部２０ｂとを有している。また、開口部２０ｂの近傍で開口部２０ｂの両側には、複数個（例えば、２個）の円形状の孔２０ｃが設けられている。
【００３６】
次に、前記枠体２０へのリード線接続コネクタＡを備えた電子機器Ｂの組み込みについて説明する。
先ず、枠体２０の側壁２０ａの開口部２０ｂに、リード線接続コネクタＡを備えた電子機器Ｂのリード線接続コネクタＡを挿通させる。この状態のとき、枠体２０の孔２０ｃと電子機器Ｂのネジ孔５ｅ（図５参照）とは、対向する位置に配置され、リード線接続コネクタＡの前面板１ａが、枠体２０の前記開口部２０ｂに挿通されて外方に突出する。
【００３７】
次に、枠体２０の孔２０ｃにネジ（図示せず）を挿通し、更に、このネジを電子機器Ｂの枠体５のネジ孔５ｅに螺合させ、枠体２０に電子機器Ｂをネジによって取り付ける。このとき、側壁２０ａの開口部２０ｂの縁部に絶縁ケース１の係止段部１ｄの一方の側端が当接し、ネジを螺合によって締め付けることで、絶縁ケース１の係止段部１ｄを後方（図７における右方向）に押し付ける。この絶縁ケース１の係止段部１ｄが後方に押し付けられることによって、絶縁ケース１の側面板１ｃの後面板１ｈ側の端部が、枠体５の側内壁５ｂに当接する。
【００３８】
この状態のとき、リード線接続コネクタＡの端子２の固定部２ｄと突出部２ｃとの間に、略湾曲状の曲折部２ｅ（図７参照）が形成される。
そして、また、この状態のとき、リード線接続コネクタＡは、枠体２０（第１の枠体）の側壁２０ａと枠体５（第２の枠体）の側内壁５ｂとによって、挟持され、リード線接続コネクタＡに更なる外力が加えられたときにも、リード線接続コネクタＡがガタツクことはない。
【００３９】
なお、前述のオーディオ機器Ｃの枠体２０の側壁２０ａを金属平板にて形成した実施の形態について説明したが、これに限定されず、側壁２０ａを例えば合成樹脂材料にて成型加工にて形成しても良い。
なお、前記リード線接続コネクタの端子の棒状部の実施の形態では、棒状部が直線状であるとして説明したが、これに限定されず、端子の棒状部に、予め、例えば、円弧状やＳ字状の曲折部を形成しても良い。この曲折部によって、リード線接続コネクタに加えられる外力が一層吸収される。
【００４０】
【発明の効果】
以上のように本発明のリード線接続コネクタは、後面板と該後面板の中段部から外方に突出された端子固定部と該端子固定部の下方向に形成された空間部とを有する絶縁ケースと、該絶縁ケースの前記端子固定部に固定された棒状部を有する端子とを備え、前記端子の前記棒状部が前記絶縁ケースの前記空間部に配置されていることから、この構成のリード線接続コネクタをプリント配線基板に配設して電子機器を形成した後、このリード線接続コネクタの端子の棒状部と直交する方向にストレス（外力）が加えられたとき、絶縁ケースの空間部に配置された端子の棒状部が撓むことが出来るので、この撓みによって外力を分散・吸収することが出来、よって、リード線接続コネクタに加えられる外力による端子の突出部への過剰なストレスが加えられることがなくなり、半田付けされた端子の突出部の半田が破損することがなく、半田付け不良を生じることがないという効果を奏する。
【００４１】
また、本発明のリード線接続コネクタを備えた電子機器は、リード線接続コネクタが、第１の枠体（枠体２０）の側壁と第２の枠体（枠体５）の側壁とによって挟持されていることから、リード線接続コネクタに、例えば、リード線の着脱時に外力（ストレス）が加えられても、外力は、両側壁によって受け止められて、リード線接続コネクタがガタツクことが無く、よって、安定したリード線の着脱と、一層安定したリード線接続コネクタの枠体への取付が保持でき、更に、半田付けされた端子の突出部の半田が破損することがなく、半田付け不良を生じることがないという効果を奏する。
【図面の簡単な説明】
【図１】本発明の実施の形態のリード線接続コネクタを示す部分断面図である。
【図２】本発明の実施の形態のリード線接続コネクタを示す正面図である。
【図３】本発明の実施の形態のリード線接続コネクタを備えた電子機器を示す要部断面図である。
【図４】本発明の実施の形態のリード線接続コネクタを備えた電子機器を示す要部平面図である。
【図５】本発明の実施の形態のリード線接続コネクタを備えた電子機器を示す要部正面図である。
【図６】本発明の実施の形態のリード線接続コネクタを備えた電子機器をオーディオ機器に取り付ける状態を説明するための分解要部断面図である。
【図７】本発明の実施の形態のリード線接続コネクタを備えた電子機器をオーディオ機器に取り付けた状態を説明するための要部断面図である。
【図８】従来のリード線接続コネクタを示す要部断面図である。
【図９】従来のリード線接続コネクタを示す正面図である。
【図１０】従来のリード線接続コネクタを備えた電子機器を説明する要部断面図である。
【図１１】従来のリード線接続コネクタを備えた電子機器を説明する平面図である。
【図１２】従来のリード線接続コネクタを備えた電子機器をオーディオ機器に取り付ける状態を説明するための要部断面図である。
【符号の説明】
１  絶縁ケース
１ａ  前面板
１ｃ  側面板
１ｄ  係止段部
１ｈ  後面板
１ｋ  空間部
１ｐ  端子固定部
２  端子
２ａ  平板部
２ｂ  棒状部
２ｃ  突出部
２ｄ  固定部
２ｅ  曲折部
３  レバー
４  バネ
５  枠体（第２の枠体）
５ａ  側壁
５ｄ  側内壁
５ｅ  ネジ孔
６  プリント配線基板
２０  枠体（第１の枠体）
２０ａ  側壁
２０ｂ  開口部
Ａ  リード線接続コネクタ
Ｂ  電子機器
【図１】
0003562971.tif 000002
【図２】
0003562971.tif 000003
【図３】
0003562971.tif 000004
【図４】
0003562971.tif 000005
【図５】
0003562971.tif 000006
【図６】
0003562971.tif 000007
【図７】
0003562971.tif 000008
【図８】
0003562971.tif 000009
【図９】
0003562971.tif 000010
【図１０】
0003562971.tif 000011
【図１１】
0003562971.tif 000012
【図１２】
0003562971.tif 000013